(57)【特許請求の範囲】
【請求項１】
エリア内に設けた管理区域における入退室者を管理する入退室管理システムであって、
前記エリアの出入口、および前記管理区域の出入口に設けられている開閉体毎に、その開閉体に取り付けられている電子錠の施錠、解錠を制御する施錠・解錠手段、
を備えた電子錠制御装置と、
前記管理区域の出入口に設けられ、
媒体が記憶している識別情報を読み取る識別情報読取手段、および、
前記識別情報読取手段が読み取った識別情報を出力する識別情報出力手段
を備えた識別情報読取装置と、
前記媒体の識別情報と、連絡先である電話番号と、を対応づけた第１のデータベースを記憶する記憶手段、
前記識別情報読取装置の識別情報出力手段が出力した識別情報を取得する識別情報取得手段、
前記記憶手段が記憶する前記第１のデータベースにおいて、前記識別情報取得手段が取得した識別情報に対応づけられている連絡先である電話番号に架電し、ダイヤルキーの操作により前記管理区域への入退室の希望確認に応答することを要求する応答要求通知を送信するとともに、この応答要求通知に対して連絡先から送信されてきたダイヤルキーの操作にかかるトーン信号を応答として受信する通信手段、
前記通信手段が連絡先からの応答として受信したトーン信号が、前記管理区域への入退室の希望であるかどうかを判定する判定手段、および、
前記判定手段が前記管理区域への入退室の希望であると判定した場合に、当該識別情報を媒体から読み取った前記識別情報読取装置が設けられている前記管理区域の出入口の開閉体に取り付けられている電子錠の解錠を前記電子錠制御装置に指示し、反対に前記判定手段が前記管理区域への入退室の希望でないと判定した場合に、前記エリアの出入口の開閉体に取り付けられている電子錠の施錠を前記電子錠制御装置に指示する指示手段、
を備えたホスト装置と、
を有する入退室管理システム。
【請求項２】
前記ホスト装置は、
前記記憶手段が記憶する前記第１のデータベースには、前記媒体の識別情報、連絡先である電話番号に加えて、暗証番号が対応づけられており、
前記判定手段が、前記通信手段が連絡先からの応答として受信したトーン信号が、前記第１のデータベースに記憶している該当する連絡先の暗証番号にかかるダイヤルキーの操作にともなうトーン信号であれば、前記管理区域への入退室の希望であると判定する、
請求項１に記載の入退室管理システム。
【請求項３】
前記ホスト装置は、
前記判定手段が、前記通信手段が連絡先から応答として受信したトーン信号が、予め定めた特定のダイヤルキーの操作にともなうトーン信号であれば、前記管理区域への入退室の希望でないと判定する、
請求項２に記載の入退室管理システム。
【請求項４】
前記ホスト装置は、
前記指示手段が、前記識別情報読取手段が前記管理区域内に位置する媒体から識別情報を読み取った場合に、前記判定手段において、前記通信手段が連絡先から応答として受信したトーン信号が前記管理区域からの退室の希望でないと判定した場合には、当該管理区域の出入口の開閉体に取り付けられている電子錠についてのみ、その施錠を前記電子錠制御装置に指示する、
請求項１〜３のいずれかに記載の入退室管理システム。
【請求項５】
前記ホスト装置は、
前記記憶手段が、前記第１のデータベースに加えて、媒体の識別情報から、この媒体が無効媒体であるかどうかの判別が行える情報を登録した第２のデータベースを記憶し、
前記判定手段が、前記第２のデータベースを用いて、前記識別情報取得手段が取得した識別情報が、無効媒体の識別情報であるかどうかを判定するネガチェック機能を有し、
前記指示手段が、前記判定手段の前記ネガチェック機能により、前記識別情報取得手段が取得した識別情報が、無効媒体の識別情報であると判定された場合に、前記エリアの出入口の開閉体に取り付けられている電子錠の施錠を前記電子錠制御装置に指示する、
請求項１〜４のいずれかに記載の入退室管理システム。
【請求項６】
前記識別情報読取装置は、
前記識別情報読取手段が、無線通信エリア内に位置する媒体との無線通信により、この媒体が記憶する識別情報を読み取る、
請求項１〜５のいずれかに記載の入退室管理システム。
【請求項７】
前記ホスト装置は、
前記通信手段が、連絡先に対する前記応答要求通知を、音声通信で行う、
請求項１〜６のいずれかに記載の入退室管理システム。
【請求項８】
さらに、カメラで撮像した前記管理区域の出入口周辺の撮像画像を録画する録画手段、
を備えた監視装置を有し、
前記ホスト装置は、
前記指示手段が、前記判定手段が前記管理区域への入退室の希望でないと判定した場合に、当該識別情報を媒体から読み取った前記識別情報読取装置が設けられている前記管理区域の出入口周辺の撮像画像の録画開始を、前記監視装置に指示する録画指示機能を有する、
請求項１〜７のいずれかに記載の入退室管理システム。
【発明の詳細な説明】
【技術分野】
【０００１】
この発明は、エリア内に設けた管理区域における入退室者を管理する入退室管理システムに関する。
【背景技術】
【０００２】
入退室管理システムは、管理区域における入退室者を管理することにより、当該管理区域のセキュリティを確保するシステムである。具体的には、管理区域毎に、入退室が許可されていない人（以下、不許可者と言う。）の出入りを拒否し、入退室が許可されている人（以下、許可者と言う。）の出入りを許容するシステムである。管理区域は、入退室できる人を制限した区域であり、例えば、建物全体や、建物内の部屋単位で設定される。一般的な入退室管理システムでは、許可者に対して、識別情報（以下、ＩＤと言う。）を記憶したカード等の媒体を発行している。管理区域の出入口に設けられた扉には電子錠が取り付けられており、この扉を挟んだ両側、すなわち管理区域内側および管理区域外側、には、媒体からＩＤを読み取る読取装置が配置されている。扉の電子錠は、通常施錠されており、許可者が管理区域に出入りするときに一時的に解錠される。具体的には、読取装置が、管理区域に出入りする人が所持する媒体からＩＤを読み取る。ホスト装置は、読取装置が媒体から読み取ったＩＤに対して、電子錠の解錠可否、すなわち許可者であるかどうか、を判定する。ホスト装置が許可者であると判定すると、電子錠が一時的に解錠される。
【０００３】
また、入退室管理システムではないが、コインロッカー等の鍵付き設備の利用において、携帯電話を利用した機器側との電子メールによる通信で、施錠・解錠が行えるシステムが提案されている（特許文献１参照）。このシステムでは、鍵付き設備の利用に際して、鍵やカード（媒体）等を不要にすることで、利用者の利便性を図っている。
【特許文献１】特開２００４−２５７０６２号公報
【発明の開示】
【発明が解決しようとする課題】
【０００４】
しかしながら、従来の入退室管理システムは、管理区域への入室や、管理区域からの退室を希望する人（入退室希望者）が所持する媒体から読み取ったＩＤに基づいて、入退室の可否を判定しているだけであった。このため、未許可者が、許可者が紛失や盗難にあった媒体や、許可者に発行されている媒体を偽造した偽造媒体を使って、許可者になりすまし、管理区域に入室したり、管理区域から退出することがあり、管理区域のセキュリティが十分に確保されていなかった。
【０００５】
また、許可者になりすましている未許可者の存在を積極的に検知しておらず、許可者になりすましている未許可者が、長期に渡って、管理区域の入退室を繰り返すという危険性もあった。
【０００６】
この発明の目的は、未許可者が管理区域に入退室するのを確実に防止し、且つ許可者になりすましている未許可者の存在を積極的に検知することで、管理区域のセキュリティの向上が図れる入退室管理システムを提供することにある。
【課題を解決するための手段】
【０００７】
この発明の入退室管理システムは、上記課題を解決するために以下の構成を備えている。
【０００８】
エリア内に設けた管理区域における入退室者を管理する入退室管理システムであって、
前記エリアの出入口、および前記管理区域の出入口に設けられている開閉体毎に、その開閉体に取り付けられている電子錠の施錠、解錠を制御する施錠・解錠手段、
を備えた電子錠制御装置と、
前記管理区域の出入口に設けられ、
媒体が記憶している識別情報を読み取る識別情報読取手段、および、
前記識別情報読取手段が読み取った識別情報を出力する識別情報出力手段
を備えた識別情報読取装置と、
前記媒体の識別情報と、連絡先である電話番号と、を対応づけた第１のデータベースを記憶する記憶手段、
前記識別情報読取装置の識別情報出力手段が出力した識別情報を取得する識別情報取得手段、
前記記憶手段が記憶する前記第１のデータベースにおいて、前記識別情報取得手段が取得した識別情報に対応づけられている連絡先である電話番号に架電し、ダイヤルキーの操作により前記管理区域への入退室の希望確認に応答することを要求する応答要求通知を送信するとともに、この応答要求通知に対して連絡先から送信されてきたダイヤルキーの操作にかかるトーン信号を応答として受信する通信手段、
前記通信手段が連絡先からの応答として受信したトーン信号が、前記管理区域への入退室の希望であるかどうかを判定する判定手段、および、
前記判定手段が前記管理区域への入退室の希望であると判定した場合に、当該識別情報を媒体から読み取った前記識別情報読取装置が設けられている前記管理区域の出入口の開閉体に取り付けられている電子錠の解錠を前記電子錠制御装置に指示し、反対に前記判定手段が前記管理区域への入退室の希望でないと判定した場合に、前記エリアの出入口の開閉体に取り付けられている電子錠の施錠を前記電子錠制御装置に指示する指示手段、
を備えたホスト装置と、
を有する。
【０００９】
この構成では、エリア内に管理区域が設けられており、このエリアの出入口、および管理区域の出入口には扉等の開閉体が設けられている。各開閉体には、電子錠が取り付けられており、電子錠制御装置が開閉体毎に電子錠の施錠・解錠を制御する。また、媒体から識別情報を読み取る読取装置が管理区域の出入口毎に設けられている。エリアの出入口については、読取装置が設けられていてもよいし、設けられていなくてもよい。媒体は、識別情報を記憶させることができればよく、磁気カード、接触式ＩＣカード、非接触式ＩＣカード、無線通信タグ等を使用することができる。読取装置は、使用する媒体に応じて、その媒体が記憶する識別情報を読み取ることができる構成とすればよい。
【００１０】
ホスト装置は、通信手段において、読取装置が媒体から読み取った識別情報に対応づけられている連絡先の電話番号に架電して管理区域への入退室の希望確認に応答することを要求する応答要求通知を送信するとともに、この応答要求通知に対する応答を受信する。この応答要求通知は、例えば読取装置が識別情報を読み取った媒体を所持している許可者の携帯電話に架電し、入退室を希望している場合には暗証番号の入力を要求し、入退室を希望していない場合には＃＃等の予め定めている特定の入力を要求する通知とすればよい。ホスト装置は、連絡先からの応答が管理区域への入退室の希望であれば、その管理区域の出入口の開閉体に取り付けられている電子錠の解錠を電子錠制御装置に指示する。反対に、連絡先からの応答が管理区域への入退室の希望でなければ、その管理区域の出入口の開閉体に取り付けられている電子錠の施錠を電子錠制御装置に指示する。
【００１１】
したがって、許可者が紛失したり、盗難にあった媒体や、許可者に発行された媒体を偽造した偽造媒体を所持している不許可者が、許可者になりすまして管理区域に入室、または管理区域から退室しようとすると、そのことが、その媒体の識別情報で識別される許可者に通知される。これにより、許可者が紛失したり、盗難にあった媒体や、許可者に発行された媒体を偽造した偽造媒体を所持している不許可者の存在を積極的に検知することができる。また、許可者が、応答要求通知に対して、入退室を希望しない旨の応答を行うと、管理区域の開閉体に取り付けられている電子錠が解錠されないので、不許可者が管理区域に入退室するのを確実に防止できる。さらに、エリアの出入口の開閉体に取り付けられている電子錠が施錠されるので、許可者になりすまして管理区域に入室、または管理区域から退出しようとした不許可者を、エリア内に閉じ込めることができる。これにより、許可者になりすまして管理区域に入室、または管理区域から退出しようとした不許可者を容易に捕まえることができる。
また、管理区域から退出しようとした不許可者を検知したときは、その不許可者がいる管理区域の開閉体に取り付けられている電子錠のみ施錠するようにしてもよい。
【００１２】
また、前記ホスト装置は、
前記記憶手段が、前記第１のデータベースに加えて、媒体の識別情報から、この媒体が無効媒体であるかどうかの判別が行える情報を登録した第２のデータベースを記憶し、
前記判定手段が、前記第２のデータベースを用いて、前記識別情報取得手段が取得した識別情報が、無効媒体の識別情報であるかどうかを判定するネガチェック機能を有し、
前記指示手段が、前記判定手段の前記ネガチェック機能により、前記識別情報取得手段が取得した識別情報が、無効媒体の識別情報であると判定された場合に、前記エリアの出入口の開閉体に取り付けられている電子錠の施錠を前記電子錠制御装置に指示する。
【００１３】
この構成では、無効媒体を所持している不許可者についても、許可者になりすまして管理区域に入室、または管理区域から退出しようとした不許可者と同様に、管理区域の入退室を確実に防止できるとともに、エリア内に閉じ込めることができる。
【００１４】
さらに、カメラで撮像した前記管理区域の出入口周辺の撮像画像を録画する録画手段、
を備えた監視装置を有し、
前記ホスト装置は、
前記指示手段が、前記判定手段が前記管理区域への入退室の希望でないと判定した場合に、当該識別情報を媒体から読み取った前記識別情報読取装置が設けられている前記管理区域の出入口周辺の撮像画像の録画開始を、前記監視装置に指示する録画指示機能を有する。
【００１５】
この構成では、許可者になりすまして管理区域に入室、または管理区域から退出しようとした不許可者を撮像した撮像画像が、監視装置において録画されるので、セキュリティを一層向上させることができる。
【発明の効果】
【００１６】
この発明によれば、許可者が紛失したり、盗難にあった媒体や、許可者に発行された媒体を偽造した偽造媒体を所持している不許可者が管理区域に入退室するのを確実に防止できるとともに、不許可者が存在していることを迅速に検知することができる。また、許可者になりすまして管理区域に入室、または管理区域から退出しようとした不許可者を、エリア内に閉じ込めることができる。
【発明を実施するための最良の形態】
【００１７】
以下、この発明の実施形態である入退室管理システムについて説明する。
【００１８】
まず、この実施形態の入退室管理システムの概要について説明する。図１は、この実施形態の入退室管理システムの概要を説明する図である。この実施形態の入退室管理システムは、エリア１内に設けた管理区域２における入退室者を管理するシステムであり、管理区域２に対して不正に入退室しようとしている不審者の存在を検知する機能、および検知した不審者をエリア１内に閉じ込める機能を有している。図１では、エリア１内に３つの管理区域２を設けた例を示しているが、エリア１内に設けられる管理区域２の個数は３つに限定されることはなく、１つ以上であればよい。この実施形態の入退室管理システムは、図１に示すエリア１を、１つ以上管理することができる。
【００１９】
エリア１は、例えば、ビル等の建屋のフロアに形成された空間であり、各出入口には扉５が設けられている。扉５の外側は、例えばエレベータホールや、非常階段につながる通路が形成されている。管理区域２の出入口にも扉６が設けられている。エリア１、および管理区域２には、１つ以上の出入口が設けられていればよい。各扉５、６には、電子錠７が取り付けられている。後述する電子錠制御装置が、電子錠７の施錠・解錠を制御する。エリア１は、例えば会社のオフィスであり、管理区域２は、オフィス内に設けられた役員室、金庫室、サーバ室等である。エリア１は、この実施形態の入退室管理システムが入退室者を管理する空間であってもよいし、特に入退室者を管理しない空間であってもよい。ここでは、エリア１については、入退室者を管理しない空間として説明する。一方、管理区域２は、この実施形態の入退室管理システムが入退室者を管理する空間である。通常、扉５の電子錠７は解錠されており、扉６の電子錠７は施錠されている。また、いずれかの管理区域２について入退出が許可されている人（以下、許可者と言う。）には、後述するＲＦタグ等の無線通信媒体が発行されている。エリア１については、不特定の人が入退出できるが、管理区域２については、許可者のみが入退室できる。
【００２０】
図２は、この発明の実施形態である入退室管理システムの構成を示す図である。この実施形態の入退室管理システムは、システム全体を統括的に制御するホスト装置１０と、エリア１、および管理区域２の扉５、６毎に取り付けられている電子錠７の施錠・解錠を個別に制御する電子錠制御装置２０と、管理区域２に対して入退室を希望する許可者が所持する無線通信媒体８から識別情報（以下、ＩＤと言う。）を読み取る読取装置３０と、管理区域２の扉６周辺の撮像画像を録画したり、管理区域２周辺で警告報知を行う監視装置４０と、を備えている。ホスト装置１０は、電子錠制御装置２０、読取装置３０、および監視装置４０と有線、または無線で接続されており、これらの装置とデータ通信可能に構成されている。また、ホスト装置１０は、携帯電話網を介して任意の携帯電話９に架電し、回線が接続された携帯電話９と通信できる。電子錠制御装置２０は、ホスト装置１０からの指示にしたがって、各電子錠７の施錠・解錠を制御する。
【００２１】
図３は、管理区域の出入口に設けられた扉６周辺を示す図である。図３に示すように、読取装置３０は、管理区域２の扉６に対して２つ設けており、一方が該当する扉６から管理区域２への入室を希望する入室者用であり、他方が該当する扉６から管理区域２外への退室を希望する退室者用である。入室者用の読取装置２０の無線通信エリアは、管理区域２の外側で、且つこの管理区域２の扉６周辺であり、退室用の読取装置２０の無線通信エリアは、管理区域２の内側で、且つこの管理区域２の扉６周辺である。読取装置３０は、無線通信エリア内に位置する無線通信媒体８との無線通信により、この無線通信媒体８が記憶するＩＤを読み取る。
【００２２】
また、監視装置４０には、監視カメラ５１や、スピーカ５２が接続されている。監視カメラ５１も、読取装置３０と同様に、管理区域２の扉６に対して２つ設けており、一方が該当する扉６から管理区域２へ入室する入室者用であり、他方が該当する扉６から管理区域２外へ退室する退室者用である。入室者用のカメラ５１の撮像エリアは、入室者用の読取装置２０の無線通信エリアと略等しいエリアであり、退室者用のカメラ５１の撮像エリアは、退室者用の読取装置２０の無線通信エリアと略等しいエリアである。また、スピーカ５２は、管理区域２の扉６周辺や、エリア１内の適当な場所に取り付けられている。監視装置４０は、ホスト装置１０からの指示にしたがって、監視カメラ５１で撮像されている監視画像の録画や、スピーカ５２からの警告報知等を行う。
【００２３】
図４は、この実施形態の入退室管理システムにおけるホスト装置の主要部の構成を示す図である。ホスト装置１０は、本体の動作を制御する制御部１１と、各管理区域２の入退室者の管理に用いるデータベース（ＤＢ）を記憶する記憶部１２と、電子錠制御装置２０、読取装置３０、監視装置４０等の機器とデータ通信を行う送受信部１３と、携帯電話網等を介して任意の携帯電話９と通信する通信部１４と、を備えている。記憶部１２は、
読取装置１２のＩＤ（以下、装置ＩＤと言う。）と、この読取装置２０が取り付けられている扉６のＩＤ（以下、扉ＩＤと言う。）と、入退室用の区別と、を対応づけた扉管理ＤＢ１５、
扉ＩＤと、この扉６が設けられた管理区域２の入退室を許可する許可者の氏名と、を対応づけて判定用ＤＢ１６、
許可者の氏名に、この許可者に発行した無線通信媒体８のＩＤ（以下、媒体ＩＤと言う）、この許可者が所有する携帯電話９の電話番号、および、この許可者について登録されている暗証番号を対応づけた許可者ＤＢ１７、
扉ＩＤと、この扉６から管理区域２に不正に入退室しようとしている不許可者を検知したときに、電子錠７を強制施錠する扉５、６を示す扉ＩＤと、を対応づけた強制施錠ＤＢ１８、および、
紛失、盗難等で無効にした無線通信媒体８（無効媒体）の媒体ＩＤを登録したネガＤＢ１９、を記憶している。
【００２４】
なお、ここで示した、記憶部１２が記憶するＤＢは、その１例であり、後述する処理を行うのに必要なデータを登録したＤＢであれば、他の形式であってもよい。例えば、ネガＤＢ１９に代えて、発行済みの無線通信媒体８であって、現時点で有効である無線通信媒体８の媒体ＩＤを登録した有効ＤＢとしてもよいし、判定用ＤＢ１６および許可者ＤＢの２つのＤＢを、扉ＩＤに、この扉６が設けられた管理区域２の入退室を許可する許可者の氏名、この許可者に発行した無線通信媒体８の媒体ＩＤ、この許可者が所有する携帯電話９の電話番号、および、この許可者について登録されている暗証番号を対応づけたＤＢとしてもよい。
【００２５】
ホスト装置１０の送受信部１３は、電子錠制御装置２０、読取装置３０、および監視装置４０との間におけるデータ通信を制御するインタフェース機能を有している。また、通信部１４は、携帯電話網等を介して任意の携帯電話９に架電し、回線が接続された携帯電話９と音声通信やデータ通信を行う機能や、インタネットを利用して任意の携帯電話９や、パソコン等の端末に対して電子メールを送信したり、端末から送信されてきた電子メールを受信する機能を有している。
【００２６】
図５は、この実施形態の入退室管理システムにおける電子錠制御装置の主要部の構成を示す図である。電子錠制御装置２０は、本体の動作を制御する制御部２１と、電子錠７の施錠・解錠を行う施錠、解錠部２２と、ホスト装置１０と通信する送受信部２３と、を備えている。施錠・解錠部２２は、エリア１の扉５、および管理区域２の扉６に取り付けられている電子錠７毎に、施錠・解錠を制御する。具体的には、ホスト装置１０から解錠することが指示されている扉５、６については電子錠７を解錠し、ホスト装置１０から施錠することが指示されている扉５、６については電子錠７を施錠する。送受信部２３は、各扉５、６に取り付けられている電子錠７の施錠、解錠にかかるホスト装置１０からの指示を受信する。
【００２７】
また、管理区域２の扉６には、開閉状態を検知する開閉検知センサ（不図示）が取り付けられており、この開閉検知センサの出力が電子錠制御装置２０に入力されている。すなわち、電子錠制御装置２０は、管理区域２の扉６毎に、開閉状態を得ている。
【００２８】
図６は、この実施形態の入退室管理システムにおける読取装置の主要部の構成を示す図である。読取装置３０は、本体の動作を制御する制御部３１と、無線通信媒体８と無線通信を行う無線通信部３２と、無線通信部３２で無線通信媒体８から読み取った媒体ＩＤをホスト装置１０へ送信する送信部３３と、を備えている。無線通信部３２は、無線通信エリア内に位置する無線通信媒体８と無線通信が行える。この無線通信エリアは、上述したように、管理区域２の扉６周辺に形成されている。また図７は、監視装置４０の主要部の構成を示す図である。監視装置４０は、本体の動作を制御する制御部４１と、監視カメラ５１で撮像されている撮像画像を録画する録画部４２と、スピーカ５２から警告報知を行う報知部４３と、ホスト装置１０とのデータ通信を行う送受信部４４と、を備えている。録画部４２は、通常監視カメラ５１で撮像されている撮像画像を録画しておらず、ホスト装置１０から録画指示があったときに、該当する監視カメラ５１で撮像されている撮像画像の録画を行う。監視カメラ５１は、常時撮像を行っている構成であってもよいし、ホスト装置１０から録画指示があったときに、撮像を行う構成であってもよい。報知部４３は、ホスト装置１０からの指示にしたがって、警告音や、警告音声による警告報知を行う。送受信部４４は、ホスト装置１０から送信されてきた、上記の録画指示や、警告報知にかかる指示を受信する。また、送受信部４４は、録画部４２において録画している画像（監視カメラ５１で撮像している監視画像）を、ホスト装置１０へ送信することもできる。
【００２９】
以下、この実施形態の入退室管理システムの動作について説明する。図８は、この実施形態の読取装置の動作を示すフローチャートである。読取装置２０は、無線通信部３２において、無線通信エリア内に位置する無線通信媒体８から送信されてきた媒体ＩＤを受信すると（ｓ１）、今回受信した媒体ＩＤと、自機を識別する装置ＩＤと、を含む入退室要求を、送信部３３からホスト装置１０へ送信する。各読取装置３０は、装置ＩＤを制御部３１に設けられているメモリに記憶している。上述したように、入室者用の読取装置３０の無線通信エリアは、管理区域２の外側で、且つ扉６の周辺であるので、管理区域２への入室を希望する者は、必ず入室者用の読取装置３０の無線通信エリア内に入る。したがって、この者が無線通信媒体８を所持していれば、この無線通信媒体８の媒体ＩＤが読取装置３０に読み取られる。同様に、退室者用の読取装置３０の無線通信エリアは、管理区域２の内側で、且つ扉６の周辺であるので、管理区域２からの退出を希望する者は、必ず退室者用の読取装置３０の無線通信エリア内に入る。したがって、入退室希望者が無線通信媒体８を所持していれば、この無線通信媒体８の媒体ＩＤが読取装置３０に読み取られる。また、無線通信媒体８を所持していない人による管理区域２の入退室については、管理区域２の扉６に取り付けられている電子錠７を電子錠制御装置２０により施錠しているので、防止できている。
【００３０】
図９、および図１０は、この実施形態のホスト装置の動作を示すフローチャートである。ホスト装置１は、読取装置３０から送信されてきた入退室要求を受信すると（ｓ１１）、この入退室要求に含まれている媒体ＩＤがネガデータベース１９に登録されている無効媒体の媒体ＩＤであるかどうかを判定する（ｓ１２）。ホスト装置１０は、ｓ１２で無効媒体でないと判定すると、今回受信した入退室要求に含まれている装置ＩＤ、および媒体ＩＤをキーにして、記憶部１２に記憶しているＤＢを検索し、
（１）入退室希望者に対して、入退室を許可している管理区域２
（２）入退室希望者が、どの管理区域２への入室、または退室を希望しているのか
（３）入退室希望者が所有する携帯電話９の電話番号
（４）入退室希望者の暗証番号
（５）入退室希望者の氏名
の情報を取得する（ｓ１３）。
【００３１】
具体的に、今回受信した入退室要求に含まれている媒体ＩＤをキーにして、許可者ＤＢ１７を検索し、入退室希望者の氏名、携帯電話９の電話番号、および暗証番号を取得する。また、ここで取得した入退室希望者の氏名をキーにして判定用ＤＢ１６を検索し、この入退室希望者に対して入退室が許可されている管理区域２の扉ＩＤを取得する。さらに、今回受信した入退室要求に含まれている装置ＩＤをキーにして扉管理ＤＢ１５を検索し、該当する扉ＩＤおよび入退室用の区別を取得する。
【００３２】
ホスト装置１０は、入退室希望者が許可されている管理区域２の入退室を希望しているのかどうかを判定する（ｓ１４）。ホスト装置１０は、ｓ１４で許可されていると判定すると、通信部１４において、この入退室希望者の携帯電話９に架電する（ｓ１５）。そして、架電した携帯電話９との回線が接続されると（ｓ１６）、暗証番号の入力を要求する音声メッセージを出力する（ｓ１７）。ｓ１７では、例えば「××部屋（管理区域２の部屋の名前）の入退室を希望している○○さん（入退室希望者の名前）、暗証番号を入力してください。心当たりのない場合は、＃＃を入力してください。」という音声メッセージを出力する。
【００３３】
携帯電話９の所有者である入退室希望者は、この音声メッセージに応答し、管理区域２の入退室を希望している場合にはダイヤルキーを操作して暗証番号を入力し、今回の音声メッセージに対して心当たりがない場合にはダイヤルキーを操作して＃＃を入力する。ここで、携帯電話９の所有者が今回の音声メッセージに対して心当たりがない場合とは、この者に対して発行されている無線通信媒体９、または偽造媒体を所持した者が、管理区域２の入退室を希望している場合である。すなわち、この音声メッセージにより、許可者に対して、無線通信媒体９の紛失、盗難や、偽造媒体の存在を速やかに認識させ、その旨をホスト装置１０に通知させる（＃＃を入力させる）ことができる。すなわち、許可者になりすましている不許可者の存在を、積極的に検知することができる。
【００３４】
ホスト装置１０は、ｓ１７で音声メッセージを出力すると、携帯電話９からのトーン信号を受信するか（ｓ１８）、この携帯電話９との回線が切断されるの待つ（ｓ１９）。ホスト装置１０は、通信部１４において携帯電話９から送信されてきたトーン信号を受信すると、このトーン信号が＃＃であるかどうかを判定する（ｓ２０）。ホスト装置１０はｓ２０で＃＃でないと判定すると、入退室希望者の暗証番号に一致するトーン信号であるかどうかを判定する（ｓ２１）。ホスト装置１０は、ｓ２１で暗証番号に一致していると判定すると、電子錠制御装置２０に対して該当する扉６（この入退室希望者がいる扉６）に取り付けられている電子錠７の解錠を指示し（ｓ２２）、さらに携帯電話９との回線を切断し（ｓ２３）、本処理を終了する。
【００３５】
図１１は、この実施形態の電子錠制御装置の動作を示すフローチャートである。電子錠制御装置２０は、ホスト装置１０からの解錠指示、または強制施錠指示を受信するのを待っている（ｓ４１、ｓ４２）。電子錠制御装置２０は、送受信部２３において、ホスト装置１０からの解錠指示を受信すると、この解錠指示において指示されている扉６の電子錠７を解錠する（ｓ４３）。その後、この扉６が開状態になるか、一定時間（例えば、４〜５ｓ）経過するのを待つ（ｓ４４、ｓ４５）。電子錠制御装置２０は、扉６に取り付けられている開閉検知センサの出力により、扉６の開閉状態を得ている。電子錠制御装置２０は、扉６が開状態になったことを検出すると、再びこの扉６が閉状態になるのを待つ（ｓ４６）。すなわち、入退室希望者が扉６を開けて、管理区域２に入室、または管理区域から退出し、扉６が再び閉状態になるのを待つ。そして、扉６が再び閉状態になると、この扉６に取り付けられている電子錠７を施錠し（ｓ４７）、本処理を終了する。
【００３６】
また、電子錠制御装置２０は、ｓ４５で扉６が開されることなく、一定時間経過したと判定すると、ｓ４７で、この扉６に取り付けられている電子錠７を施錠し、本処理を終了する。このような状況は、入退室希望者が、何らかの理由で、管理区域２の入退室を取りやめたと考えられる。そこで、一旦解錠した電子錠７を、ｓ４７で再び施錠することにより、この管理区域２に対して、許可者でない者が入退室するのを防止している。
【００３７】
また、ホスト装置１０は、ｓ２１で暗証番号が一致していないと判定すると、入室希望者による暗証番号の入力の誤りが所定回数（例えば、３回）連続したかどうかを判定する（ｓ２４）。ｓ２４で、所定回数に達していないと判定すると、回線が接続されている携帯電話９に対して、暗証番号の再入力を促す音声メッセージを出力し（ｓ２５）、ｓ１８に戻る。ｓ２５では、例えば、「暗証番号が間違っています。もう一度入力してください」等のメッセージを出力する。
【００３８】
また、ホスト装置１０は、ｓ１９で携帯電話９との回線が切断されたと判断すると、本処理を終了する。このような状況は、入退室希望者が、何らかの理由で、管理区域２の入退室を取りやめたと考えられるので、ホスト装置１０における処理を中止しても、何ら問題は生じない。
【００３９】
また、ホスト装置１０は、ｓ１４で許可者でないと判定すると、入退室希望者が管理区域２への入室を希望しているのか、管理区域２からの退出を希望しているのかを判定する（ｓ２６）。ホスト装置１０は、ｓ２６で入室を希望していると判定すると、本処理を終了する。このような状況は、この入退室希望者がエリア１内を移動しているときに、たまたま読取装置３０の無線通信エリア内に入ったと考えられるので、ホスト装置１０における処理を中止しても、何ら問題は生じない。一方、ホスト装置１は、ｓ２６で退出を希望していると判定すると、警備室等への通知を行い（ｓ２７）、本処理を終了する。このとき、ホスト装置１０は、電子錠制御装置２０に対して電子錠７の解錠指示を与えない。したがって、管理区域２内にいる不許可者は、管理区域２から外に出ることはできない。これにより、許可されていない管理区域２に共連れ等で入室した不許可者については、管理区域２内に閉じ込めることができる。また、ｓ２７で警備室等へ通知しているので、警備員等が、この不許可者を簡単に捕まえることができる。
【００４０】
さらに、ホスト装置１０は、ｓ１２で無効媒体であると判定した場合、ｓ２０で＃＃が入力されたと判定した場合、およびｓ２４で暗証番号の入力の誤りが所定回数連続したと判定した場合、入退室希望者が管理区域２の入退室を不正に行おうとしている不審者であると判断し、この不審者を閉じ込めるために、強制施錠すべき扉５、６を検出する（ｓ２８）。この検出は、この不審者がいる扉６の扉ＩＤをキーにして、強制施錠ＤＢ１８を検索することにより行われる。例えば、当該管理区域２が設けられている、エリア１の全ての出入口の扉５を強制施錠すべき扉として検出する。ホスト装置１０は、ｓ２８で検出した強制施錠すべき扉５、６についての強制施錠を、電子錠制御装置２０に通知する（ｓ２９）。
【００４１】
また、この不審者が管理区域２に入室を希望している場合、この管理区域２が設けられているエリア１の出入口の扉５、およびこのエリア１内に設けられている全ての管理区域２の扉６を、強制施錠すべき扉５、６として検出する。一方、この不審者が管理区域２からの退室を希望している場合、この管理区域２の各出入口に設けられている扉６のみを、強制施錠すべき扉６として検出するようにしてもよい。この場合、強制施錠ＤＢ１８を、装置ＩＤと、強制施錠する扉ＩＤと、を対応づけたデータベースとすればよい。
【００４２】
電子錠制御装置２０は、ｓ４２で、ホスト装置１０から電子錠７の強制施錠にかかる通知を受けると、この通知において施錠することが指示されている扉５、６の電子錠７を施錠する、強制施錠処理を行う（ｓ４８）。ｓ４８では、ホスト装置１０からの通知において施錠することが指示されている扉５、６の電子錠７であって、この時点で解錠されている電子錠７を施錠する処理である。言い換えれば、この時点で施錠されている電子錠７を一時的に解錠することはない。
【００４３】
また、ホスト装置１０は、ｓ２９で電子錠制御装置２０に対して強制施錠を通知すると、不審者がいる無線通信エリアを撮像している監視カメラ５１の撮像画像の録画を監視装置４０に指示する（ｓ３０）。また、このときスピーカ５２からの警告報知も合わせて監視装置４０に指示する。この指示を送受信部４４で受信した監視装置４０は、録画部４２において、該当する監視カメラ５１の撮像画像の録画を開始する。このとき、監視カメラ５１が撮像を停止していれば、監視カメラ５１に撮像を開始させて、録画を開始する。また、報知部４３は、不審者の存在を検知したことを、周辺にいる人に通知する警告報知を行う。
【００４４】
このように、この実施形態の入退室管理システムは、管理区域２の入退室を希望している許可者の携帯電話９に架電し、管理区域２への入退室を希望しているかどうかの確認のために、暗証番号を入力させる。そして、この許可者が適正な暗証番号を入力した場合に、管理区域２の扉６に取り付けられている電子錠７を、一時的に解錠して管理区域２の入退室を許可する。したがって、盗難や紛失にかかる無線通信媒体８や、偽造媒体８を用いた、管理区域２の不正な入退室に対するセキュリティを十分に向上させることができる。また、管理区域２の入退室を希望する不審者を、管理区域２内、またはエリア１内に閉じ込めるとともに、監視カメラ５１で不審者を撮像し、その撮像画像を録画するので、不審者を容易に捕まえることができる。
【００４５】
なお、上記実施形態では、許可者に無線通信媒体９を発行するとしたが、許可者に発行する媒体はＩＤを記憶させることができる媒体であればよく、例えば磁気カード、ＩＣカード、非接触ＩＣカード等、他の種類の媒体を用いてもよい。この場合、読取装置３０は、使用する媒体からＩＤを読み取ることができる構成にすればよい。
【００４６】
また、上記実施形態では、携帯電話９に架電し、音声で暗証番号の入力を要求する応答要求通知を行う構成としたが、暗証番号の入力を要求する電子メールを携帯電話９に送信し、この携帯電話９から暗証番号を入力した電子メールを受信する構成としてもよい。
【００４７】
また、エリア１における入退室者についても管理する場合には、エリア１の出入口においても、上述した管理区域２の出入口と同様に、読取装置３０を配置し、同様の処理を行えばよい。
【００４８】
さらに、アンチパスバックの発生有無を検出する機能を付加的に設け、セキュリティを一層向上させることもできる。
【図面の簡単な説明】
【００４９】
【図１】この発明の実施形態である入退室管理システムの概要を説明する図である。
【図２】この発明の実施形態にかかる入退室管理システムを示す図である。
【図３】この実施形態の入退室管理システムにおける管理区域の扉周辺を説明する図である。
【図４】この実施形態の入退室管理システムにおけるホスト装置の主要部の構成を示す図である。
【図５】この実施形態の入退室管理システムにおける電子錠制御装置の主要部の構成を示す図である。
【図６】この実施形態の入退室管理システムにおける読取装置の主要部の構成を示す図である。
【図７】この実施形態の入退室管理システムにおける監視装置の主要部の構成を示す図である。
【図８】この実施形態の入退室管理システムにおける読取装置の動作を示すフローチャートである。
【図９】この実施形態の入退室管理システムにおけるホスト装置の動作を示すフローチャートである。
【図１０】この実施形態の入退室管理システムにおけるホスト装置の動作を示すフローチャートである。
【図１１】この実施形態の入退室管理システムにおける電子錠制御装置の動作を示すフローチャートである。
【符号の説明】
【００５０】
１−エリア
２−管理区域
５、６−扉
７−電子錠
８−無線通信媒体
９−携帯電話
１０−ホスト装置
２０−電子錠制御装置
３０−読取装置
４０−監視装置
５１−監視カメラ
５２−スピーカ
【図１】
0004835247.tif 000002
【図２】
0004835247.tif 000003
【図３】
0004835247.tif 000004
【図４】
0004835247.tif 000005
【図５】
0004835247.tif 000006
【図６】
0004835247.tif 000007
【図７】
0004835247.tif 000008
【図８】
0004835247.tif 000009
【図９】
0004835247.tif 000010
【図１０】
0004835247.tif 000011
【図１１】
0004835247.tif 000012